(57)【要約】  開示に係る、物品を保持するためのポーチは、伸縮性素材のチューブとして形成され、複数の開口を備える。開口を通じて物品を挿入し、ポーチ内に置くことができる。開口が体の周りの様々な箇所に位置するようにポーチを扱うことができる。開口はポーチの外側、内側、上部またはその他の部分に配置することができる。ポーチは実質的に一定の幅を有することで、物品が内部に配置されていることを分かりにくくすることができる。開口は閉じ部分を有することで、物品の落下を防ぐことができる。ポーチは、体の周りに配置できるように、単一の円形状に形成されたり、閉じ具を有したりすることができる。【選択図】  図１
2014525325.tif 000002
【特許請求の範囲】
【請求項１】
人体の部分の周りを囲むように着用可能な伸縮性ポーチであって、
弾性素材からなり、内部に空洞を有する、無端のチューブ状部材と、
前記チューブ状部材に沿って、周方向に互いに間隔を空けて備えられる複数のスリットと、を備え、
前記スリットの各々は、通常時に閉じる開口を前記チューブ状部材に形成し、
前記開口を広げることで、一つまたは複数の物品を前記内部に挿入可能であり、
前記スリットは、閉じ位置に戻ることによって、前記物品が前記チューブ状部材から不意に抜け出ないように保持する、着用可能な伸縮性ポーチ。
【請求項２】
前記無端のチューブ状部材は、伸長すると、実質的に平坦かつ平行な内側面と外側面とを成し、該内側面と外側面のうち少なくとも一方が、周方向に間隔を空けて備えられる前記スリットを有する、請求項１に記載の着用可能な伸縮性ポーチ。
【請求項３】
前記無端のチューブ状部材は、伸長すると平坦な形状となる、請求項１に記載の着用可能な伸縮性ポーチ。
【請求項４】
前記無端のチューブ状部材は、伸長すると、周方向に間隔を空けて備えられる前記スリットを閉じ位置に弾性的に付勢する、請求項１に記載の着用可能な伸縮性ポーチ。
【請求項５】
前記チューブ状部材は複数の伸縮性を有する層からなる、請求項１に記載の着用可能な伸縮性ポーチ。
【請求項６】
前記複数の層は、伸長すると、実質的に平坦かつ平行な内側面と外側面とを成し、該内側面と外側面のうち少なくとも一方が、周方向に間隔を空けて備えられる前記スリットを有する、請求項５に記載の着用可能な伸縮性ポーチ。
【請求項７】
人体の腰の周りを囲む、無端の伸縮性ポーチであって、
内部に空洞を有する弾性スリーブを備え、
前記スリーブは、伸長すると、実質的に平坦かつ平行な前面および背面を成し、該前面と背面のうち少なくとも一方は、周方向に延びる少なくとも一つのスリットを有する、着用可能な伸縮性ポーチ。
【請求項８】
前記弾性スリーブは、単一の無端構造であって、伸長すると平坦な形状となる、請求項７に記載のポーチ。
【請求項９】
周方向に延びる前記スリットは、通常時に閉じる開口を前記弾性スリーブに形成し、
前記開口を広げることで、一つまたは複数の物品を前記内部に挿入可能であり、
前記スリットは、閉じ位置に戻ることによって、前記物品が前記弾性スリーブから不意に抜け出ないように保持する、請求項７に記載のポーチ。
【請求項１０】
周方向に延びる前記スリットの各々は、内側を向くようにひっくり返されると閉じ位置に付勢される、請求項７に記載のポーチ。
【請求項１１】
略平坦かつ平行な前記外側面を内側の位置にひっくり返すと、前記各スリットが閉じ位置になるように圧縮される、請求項７に記載のポーチ。
【請求項１２】
物品を収納するための着用可能なポーチであって、
伸縮性素材からなり、内側と外側を有する無端のチューブ状本体と、
前記チューブ状本体に間隔を空けて設けられる複数の開口であって、前記チューブ状本体の前記内側への接近を可能にする複数の開口と、
前記間隔を空けて設けられる複数の開口の２つの間に位置するように前記チューブ状本体に互いに間隔を空けて設けられる複数の封止部分と、を備える着用可能なポーチ。
【請求項１３】
前記チューブ状本体は、伸長すると、略平坦かつ平行な内側面と外側面とを成す、請求項１２に記載の着用可能なポーチ。
【請求項１４】
前記チューブ状本体は第１の端部と第２の端部を有し、
更に、前記チューブ状本体の前記第１の端部および前記第２の端部のうちの少なくとも一方に配置される少なくとも一つの閉じ部分を備え、
前記少なくとも一つの閉じ部分は、前記チューブ状本体の前記第１の端部と前記第２の端部を繋いで円を形成する、請求項１２に記載の着用可能なポーチ。
【請求項１５】
前記少なくとも一つの閉じ部分は、少なくとも一つの留め具、面ファスナー、ジッパー、またはボタンを含む、請求項１４に記載の着用可能なポーチ。
【請求項１６】
前記少なくとも一つの閉じ部分は、前記チューブ状本体の前記第１の端部に取り付けられる第１のクリップと、前記第２の端部に取り付けられる第２のクリップを有し、
前記第１のクリップと前記第２のクリップは、前記チューブ状本体を円形にするように互いに接続可能である、請求項１４に記載の着用可能なポーチ。
【請求項１７】
前記複数の開口は前記チューブ状本体の外側に沿って延びる、請求項１２に記載の着用可能なポーチ。
【請求項１８】
前記チューブ状本体は、単一の無端構造であり、伸長すると平坦な形状となる、請求項１２に記載の着用可能なポーチ。
【請求項１９】
前記複数の開口のうちの少なくとも一つの開口は、該少なくとも一つの開口の向かい合う両側を保持するための閉じ部分を有する、請求項１２に記載の着用可能なポーチ。
【請求項２０】
前記無端のチューブ状本体は、着用者の体の部分の周りに弾性的にフィットする寸法を有する、請求項１２に記載の着用可能なポーチ。
【請求項２１】
前記チューブ状本体は、実質的に一定の幅を有する、請求項１２に記載の着用可能なポーチ。
【発明の詳細な説明】
【技術分野】
【０００１】
製品についての本開示は、１つまたは複数の物品を持ち運ぶための着用可能なアクセサリーに関する。特に、本開示は、体の一部の周りに装着可能な滑らかなバンドを成すように形成された着用可能なポーチ（小袋）に関する。
【０００２】
財布を持ち歩いたり、ポケットの中に鍵や財布を入れたりすることを避けるため、道具／物品用ホルダーを体の周りに着用することを好む人は多い。エクササイズその他のスポーツをする際に、アームバンドやリストバンド、またはファニーパック（腰の回りに着用するバッグ）等の運動用万能ベルトの形態の道具／物品用ホルダーを着用することも一般的に行われている。このような袋を用いることで、使用者は、電話、音楽機器、その他の物品を、運動中に持ち運ぶことができる。しかしながら、これらの袋はしばしば人目を引きやすく、かさばり、体に対して安定せず、物品まで手が届き難く、物品を収納したり物品まで手が届いたりするための柔軟性を提供しない場合が多い。今日の最も小さい型の袋であったとしても、ほんの少しの物品を入れておくために、万能ベルトやファニーパックのような外観の袋を着用することは大抵嫌がられる。大体の人は、電話、音楽機器、ロッカーキー、カードといった物品を持ち運ぶときには、別個のポーチと、ベルトと、バックルを有するファニーパックのように見える典型的なウェストポーチを使うよりも、手で持って運ぶであろう。従来のデザインにおいては、最も小さな形状のものであっても、運動中に物品に手を届かせることは困難であり、ジッパーなどの様々な閉じ具を運動中に開閉することは困難である。
【発明の概要】
【発明が解決しようとする課題】
【０００３】
その結果、着用者に快適かつ密接にフィットしながら、ポーチ内部の物品に手が届きやすい軽量なポーチが必要とされている。そのため、運動中に異なる物品を収納でき、物品に手が届きやすく、物品が運動の邪魔にならず、着用者の見た目や服装の邪魔とならないポーチが必要とされている。
【課題を解決するための手段】
【０００４】
本発明の１つの局面によれば、ポーチは、弾性素材からなり、内部に空洞を有する無端のチューブ状部材と、チューブ状部材に沿って周方向に互いに間隔を空けて形成される複数のスリットを有し、各スリットは、通常時に閉じられる開口をチューブ状部材に形成し、開口は広げることで一つまたは複数の物品を内部に挿入することができ、スリットは閉じ位置に戻ることで、物品が不意にチューブ状部材から抜け出さないように保持する。チューブ状部材は伸長すると平坦な形状となり、実質的に平坦かつ平行な平面である内側面と外側面を規定し、それらのうち少なくとも一方の面は、周方向に間隔を空けて設けられたスリットを備える。上記構成において、スリットは閉じ位置へ付勢される。ポーチは伸縮性を有する複数の層からなるものとしてよく、間隔を空けて形成されたスリットを有する面は、内側を向くようにひっくり返されてもよい。
【０００５】
ポーチは、開口を有する素材をチューブ状にしたものとして形成してもよい。物品は開口を通して挿入され、素材のチューブの内部の所定の位置に保持されてもよい。開口は、チューブの閉鎖部分によって分けられていてもよい。閉鎖部分は物品を所定の位置に保持する。ポーチは伸縮性を有する素材からなるため、様々なサイズの物品を、開口を通して挿入することができる。伸縮性を有する素材は、物品を、素材のチューブの内部の所定の位置に確実に保持し、閉じた部分は、開口を部分的に封止するのに用いられる。ポーチは、その全体にわたり、実質的に一定の幅を有するものとしてよい。
【図面の簡単な説明】
【０００６】
【図１】図１は、ボディバンドポーチの正面斜視図である。
【図２】図２は、図１に示す実施形態のポーチの反対側の斜視図である。
【図３】図３は、図１の線３−３におけるバンドポーチの断面図を示す。
【図４】図４は、図１の線４−４におけるバンドポーチの断面図を示す。
【図５】図５は、バンドポーチの別の形態の断面図である。
【図６】図６は、ボディバンドポーチの正面斜視図である。
【図７】図７は、ボディバンドポーチの正面斜視図である。
【図８】図８は、図６のポーチの部分を示す図である。
【図９】図９は、内部に物品を保持する図６の実施形態に係るポーチを示す図である。
【図１０】図１０は、別の実施形態に係るポーチの図である。
【発明を実施するための形態】
【０００７】
製品に関する本開示は、物品を持ち運ぶために着用可能な、伸縮性のあるポーチに関するものである。バンドポーチ１の一実施形態を図１に示す。図１は、正面斜視図である。バンドポーチは、図５に示すように、単一の、繋ぎ目がなく、弾性を有し、伸縮可能または拡張可能な生地１０により形成してもよい。あるいは、図３および図４に示すように、弾性を有し、伸縮可能または拡張可能な同じ材料１０、１５、１９の複数の層を一つに合わせたものであってもよい。図３および図４は、外側層１９、内側層１５および縁縫い１７を備える複層構造を示す。素材１０は円筒状またはチューブ状に縫われ、開口またはスリット３１、３２を、胴縫い合わせ部分２１、２２の間に残す。ポーチ１０を、もう一つの生地１５で裏打ちして、二層としてもよい。素材１０は、ユーザの体の部分の周りに伸びてぴったりとフィットするような、柔軟な布素材であってもよい。素材は、衣服との調和のため、伸縮性を有する高機能素材、コットンライクラ、スパンデックス、あるいはその他のアウトドアレクレーション用繊維とすることができる。ある形態においては、ボート漕ぎや海水浴、雨の中での活動等の水に関わる活動のため、裏張りや外張りを耐水性材料からなるものとしてよい。素材は好ましくは柔軟性と伸縮性を有する弾性／伸縮性繊維、または、ある程度の表面摩擦を有する他の素材であり、それによりバンドが体への設置位置から滑り落ちないようにする。
【０００８】
素材１０は、内側面１１および外側面１２を有する端部の無い（すなわち、無端の）チューブ状部材または弾性スリーブを成すように形成される。素材１０は四角形状に形成され、これによりバンド１０は実質的に一定の幅を有する。複数の開口またはスリット３１、３２は、バンド１の外側面１２に沿って、互いに周方向に間隔を空けて形成されている。スリット３１、３２の間に複数の封止部分２１、２２がある。物品を、スリット３１、３２を通して挿入し、素材のチューブの内部１３に入れることができる。封止部分２１、２２によりバンド１はその形状を維持することができ、物品の周りに素材１０の弾性引張力を提供して物品を所定の位置に保持することができる。各スリットは、通常時に閉じられる開口をチューブ状部材１０に形成する。開口は広げることにより一つまたは複数の物品を内部１３に挿入することができる。そして、スリットは閉じ位置に戻ることで、物品が不意にチューブ状部材１０から抜け出したり落ちたりしないように保持することができる。チューブ状部材は伸びると実質的に平坦かつ平行な内側面１１及び外側面１２を規定し、両面１１、１２のうち少なくとも一方は、周方向に間隔を空けて備えられるスリット３１、３２のうち少なくとも一つを有する。
【０００９】
ポーチは、体の一部の周囲に装着される無端チューブ状部材として形成される。ポーチは体の周りにしっかりと定着するように伸びることができ、所定の位置にとどまり、物品を動かないように保持できる。ポーチは、装着者の臀部または腰の周りにフィットするようなサイズを有する。または、足首、手首、二の腕といった体の部分を囲むのに適したサイズを有する。ポーチは、好ましくは、ほぼ一定の幅を有する。そのようにして、ポーチが、ウェストバンドのように、着用者の衣服の一部であるように見えてもよい。
【００１０】
本開示は、ポーチ内に明瞭な膨らみを生じることなく、物品をポーチ内にぴったりと保持できるようなバンドの張力を許容する。小さな物品をバンド内に置いた場合、物品は、バンドの厚みと幅の中にきちんと隠れる。全周におけるほぼ一定の幅は、携帯電話を横向きに置いた場合の幅と同一またはそれより広い幅であることが好ましい。それよりも幅が広いか狭い他の物品にフィットするよう変更をするなどの他の実施形態にも適用可能である。
【００１１】
図１は、バンドポーチ１内に物品５０を入れた場合の説明図である。物品は、鍵、電話機器、音楽機器、クレジットカード、ティッシュ、ガム、その他を含み得る。バンドポーチは全周において均一かつ一定のデザインとなっており、外見が一定であるため、体へのバンドの柔軟な装着が可能である。もちろん、素材が伸縮性と弾性とを有することから、バンドポーチ１は、バンドポーチ１よりもいくらか幅広な物品を収容することができる。素材が曲がることにより、より大きな物品を収納することが可能であり、本明細書に記載の構成およびデザインによれば、バンドポーチは、着用者の他の衣服との調和を保ちつつ、ベルトの全体において複数の物品を保持することができる。
【００１２】
バンドポーチ１は無端の円形状に形成され、素材のチューブの両端部に継ぎ目４０を有してもよい。あるいは、素材のチューブの両端は、任意の知られた方法によって、取り外し可能に取り付けられていてもよい。そのような方法は、コネクタ、クリップ、ラッチ、ボタン、フック、面ファスナー、ジッパーその他を含む。あるいは、素材は、側面の継ぎ目を備えない単一の円形状のものとして形成されてもよい。複数のスリット３１、３２により、物品をバンドポーチ１の周囲のどこからでも挿入することができる。１つのスリットで十分であるが、複数のスリットがあれば物品をより収納しやすくなる。バンドポーチ１がチューブ形状であることから、物品をバンド内部の背面側をも含む全体に収納することができる。また、物品を、着用者が望むベルト内の横方向の位置に移動させることもできる。例えば、電話を前方に挿入し、スリット３１、３２のいずれかから取り出すことができる。別個の分かれた複数の開口をポーチ１に形成し、様々な物品をポーチ１内で離して保持することもできる。
【００１３】
図５に示すように、別の形態においては、略長方形状の繊維片を、長縁１８上の裏打ちに対して縫い付け、次に裏返してもよい。次に、この単層２枚組の四角形を折りたたんで（上の縁を下の縁に重ねて）、内容積を囲むようにしてよい。縫い合わせる際に、寄せ合わせた両縁に沿って開口を残し、該開口がポーチ開口となるようにする。端部同士を縫い合わせる箇所においてチューブを重ね合わせ、円形のバンドが完成する。
【００１４】
代替的な形態において用いられるバンドポーチのデザインによれば、シンプルな衣装アクセサリーと同様に、様々な色やパターンのバンドを提供し、製作することが容易になる。これにより、安価な製造コストで、様々な色を容易に取り入れた製造が可能となる。異なる色とパターンにより、ユーザは、異なるバンドポーチを用いて、ベーシックな黒のレギンスに対して外観上の変化を与えることができる。
【００１５】
ポーチの一つの形態は、約３インチの幅を有し、これにより、ベルトの内部に携帯電話を横向きに快適に収納することができる。他の代替的な形態においては、バンドポーチはより広い幅と弾性を有し、すなわち、ポーチは、圧縮バンドとして作用し、ウェストラインを強調したり、余分な腹部の見た目を抑制したりする。バンドは、小物用のポーチに加えて、「コントロール・トップ」としても作用し得る。
【００１６】
図１、２に示すように、開口３１、３２は、バンド１の長手方向に沿って延びる。あるいは、開口は、バンド１と垂直に延びるように形成してもよい。垂直な開口を備える場合、面ファスナー、スナップ（留め具）、ボタン、ジッパー等の開き抑制手段を用いて、ポーチ内に物品を保持するようにしてもよい。あるいは、バンド１の幅より小さな単純な開口とし、そのいずれかの端部をＶ字状に縫うことにより、横方向の運動中に、物品をバンドの中に保持することができる。
【００１７】
開口は、継ぎ目のうち美麗に仕上げた側の面を有することが好ましい（そこでは、外張りと裏張りとが縫い合わされ、裏返しにされ、継ぎ代が隠されたチューブ状となっている）。好ましい縫い方はかがり縫いであり、それにより生地は開口周囲において伸びることができる。開口の寸法は約３インチであり、電話や装置を快適に滑らせて通らせたり、より大きな物品のために伸びたりすることができる。開口から開口までの縫合部分は約２〜５インチであり、縫い閉じた部分の幅の方が長く、閉じた部分または継ぎ目部分で電話や装置の全体を覆うのに十分な寸法となっている。開口の配置と、閉じた部分の長さは、好ましくは均等に分散されていて、前面に２つの開口、背面に２つの開口がある。しかしながら、これらは、ハイキングまたは歩行時に携行することを意図する電話、ティッシュ、鍵、ガム、小財布、グラノーラ、パワーバー、日焼けローションなどの物品や、使用方法に依存して変わり得る。
【００１８】
バンドは、好ましくは、滑らかでない伸縮性素材を介してユーザに着用される。例えば、伸縮部分は、女性用の運動着にみられるようなウェストバンドに相当するものであり、そのため、複数のサイズが必要である。サイズは運動用ズボンと同様であり、例えば、Ｓ、Ｍ、Ｌサイズである。各サイズは、運動用ズボンのウェストバンドと同等の等級の長さに切断される。
【００１９】
先の実施形態において、バンド１は、外側面１２に開口を有する。バンド１はチューブ状に形成されるため、開口を異なる位置として、異なる外観、用途、安全性を提供してもよい。図２はバンド１を裏返しにして外側１２が内側を向くようにし、開口３１、３２が体側を向くようにしたものである。体に装着すると、開口が着用者の体によって完全に密閉されるため、物品が固定される。また、開口を上側に回転させて物品に手が届きやすいようにすることもできる。
【００２０】
上記実施形態においては、バンド１は他の衣服の外側に着用され、視認可能な服飾として機能する。バンド１は、ファッションおよび衣服の外観に付加されるスムーズな外観を有する。あるいは、バンド１は、他の衣服の下に着用するものとしても良い。バンド１は物品をしっかりと保持し、スムーズな外観を有するため、視認可能な膨らみを形成することなく他の衣服の下に着用することができる。バンド１をセキュリティーベルトとして用いてもよい。
【００２１】
以上、異なる実施形態を提案および記載したが、添付の請求項ならびに合理的な均等物によって定義される製品の本開示の趣旨および範囲を逸脱することなく上記およびその他の変形を実現できることが理解される。
【図１】
2014525325.tif 000003
【図２】
2014525325.tif 000004
【図３】
2014525325.tif 000005
【図４】
2014525325.tif 000006
【図５】
2014525325.tif 000007
【図６】
2014525325.tif 000008
【図７】
2014525325.tif 000009
【図８】
2014525325.tif 000010
【図９】
2014525325.tif 000011
【図１０】
2014525325.tif 000012
【国際調査報告】
2014525325.tif 000013
2014525325.tif 000014
2014525325.tif 000015
2014525325.tif 000016